(57)【要約】Ｂバンドを有する第１の広帯域光信号を伝送する少なくとも１つの伝送チャネルを備える、光ファイバ・リンク（１２）のＰＭＤを示すパラメータを検出する方法が、Ｂバンドをサブバンドに分割する段階を含む。各々のサブバンドについて、第２の基準光信号（ｓ2）が生成され、これを用いて、ｓ1とｓ2を重ね合わせた第３の信号（ｓ3）が求められる。第３の信号の各々について、そのＰＭＤを示すと考えられる第１のパラメータが計算され、全てのサブバンドの該第１のパラメータを用いて、第１の広帯域信号のＰＭＤを示すと考えられる第２のパラメータが計算される。上述の方法は、ＰＭＤ補償装置（１４）のフィードバック案内のために計算されたパラメータを用いる伝送システムのためのＰＭＤ補償方法の一部として用いることができる。本方法による検出装置は、第２の基準光信号を生成する生成装置（１８）と、第１及び第２の信号を重ね合わせる光混合装置（１９）と、電気うなり信号すなわち信号ｓ1及びｓ2を求める一つ又はそれ以上の光検出器と、第１のパラメータを計算する第１計算手段と、第１のパラメータの全てを処理し、そこから更に処理される（２４）第２のパラメータを求める第２の手段（２３）とを含む。検出装置を、補償装置（１４）及び計算段階（１６）を備える補償装置の一部とし、補償を計算し、補償装置を案内することができる。全体を光ファイバ通信システムの一部とすることができる。
2005502221.tif 000002
【特許請求の範囲】
【請求項１】
バンド幅Ｂを有する第１の広帯域光信号を伝送する少なくとも１つの伝送チャネルを備える、光ファイバ・リンクのＰＭＤを示すパラメータを検出する方法であって、
（ａ）Ｂバンドをサブバンドに分割し、
（ｂ）各々のサブバンドについて関連した第２の基準光信号を生成し、
（ｃ）各々の第２の信号について、前記第２の信号、前記第１の広帯域信号、又はその一部分を重ね合わせることによって生じる第３の光信号を獲得し、
（ｄ）前記第３の信号の各々について、そのＰＭＤを示すと考えられる第１のパラメータを計算するために一つ又はそれ以上の電気うなり信号を生成し、
（ｅ）前記サブバンド前記うなり信号の全てについて、計算されたＰＭＤを示す前記第１のパラメータを処理し、そこから前記第１の広帯域信号のＰＭＤを示すと考えられる第２のパラメータを求める、
段階を含むことを特徴とする方法。
【請求項２】
前記第２の信号が、全てのサブバンドについて実質的に同じである周波数間隔内に含まれる電気うなり信号すなわち信号を生成するような周波数を有するように選択されたことを特徴とする請求項１に記載の方法。
【請求項３】
前記第２のパラメータ又はそこから推測可能なＰＭＤデータが、前記第１のパラメータの平均、又はそこから推測可能な前記ＰＭＤデータの平均として求められたことを特徴とする請求項１に記載の方法。
【請求項４】
前記第２のパラメータ又はそこから推測可能なＰＭＤデータが、第２のパラメータとして、前記第１のパラメータの最大値、又はそこから推測可能な前記ＰＭＤデータを選択することによって求められたことを特徴とする請求項１に記載の方法。
【請求項５】
前記第１のパラメータが各々のサブバンドにおけるＤＧＤであり、前記第２のパラメータが、前記サブバンドのＤＧＤの組を処理することによって求められたことを特徴とする請求項１に記載の方法。
【請求項６】
前記第２のパラメータを求めるための処理が、全てのサブバンドのＤＧＤの平均値、中間値、又は最大値の計算を含むことを特徴とする請求項５に記載の方法。
【請求項７】
前記第２のパラメータが、前記サブバンドの中の前記第１のパラメータの変化を表すことを特徴とする請求項１に記載の方法。
【請求項８】
前記伝送チャネルが複数であり、各々のチャネルにおける第１の広帯域信号のＰＭＤを示すと考えられるパラメータを求めるために、各々のチャネルの前記広帯域信号について段階（ａ）から（ｅ）までが実行されたことを特徴とする請求項１に記載の方法。
【請求項９】
第３の信号のＰＭＤを示すと考えられる前記第１のパラメータの計算のために、前記第３の信号が異なる偏光状態を有する光成分に分割され、各々の成分が対応する電気信号を発する光電気式検出器に送られ、前記第３の信号のＰＭＤを示すと考えられる前記パラメータが、前記検出器が発した電気信号の組合せから計算されるようになったことを特徴とする請求項１に記載の方法。
【請求項１０】
前記光成分が、有利にほぼ直交する個々の偏光を有する２つの成分であることを特徴とする請求項９に記載の方法。
【請求項１１】
前記表示パラメータが、ストークス・パラメータであることを特徴とする請求項１に記載の方法。
【請求項１２】
前記第１の広帯域信号がＷＤＭ信号であり、関連した搬送波が各々のチャネルについて定められたことを特徴とする請求項８に記載の方法。
【請求項１３】
基準信号に重ね合わせる前に、前記ＷＤＭ信号が、各々のチャネルについて前記チャネルの搬送波に向けられた帯域フィルタを用いてフィルタ処理されたことを特徴とする請求項１２に記載の方法。
【請求項１４】
基準信号に重ね合わせる前に、前記ＷＤＭ信号が、前記チャネル搬送波に向けられた周波数を有する櫛形フィルタを用いてフィルタ処理されたことを特徴とする請求項１２に記載の方法。
【請求項１５】
Ｂバンドが、関係
τ最大・Ｂ／ｎ＜ε
を満たすようなｎを有するｎサブバンドに分割され、
ここで、
−τ最大は、検出したい最も高いＤＧＤであり、
−εは、０＜ε＜２、及び有利に０＜ε＜０．３の場合にラジアンで表される定数であることを特徴とする請求項１に記載の方法。
【請求項１６】
光ファイバによる伝送を行い、広帯域光信号の伝送のための少なくとも１つのチャネルを備える通信システムにおけるＰＭＤ補償方法であって、前記請求項のいずれか１項による方法によって前記広帯域光信号のＰＭＤを示すパラメータが求められ、該広帯域光信号のＰＭＤを示すと考えられる計算された前記第２のパラメータを用いて、信号経路に沿って配置されたＰＭＤ補償装置をフィードバック制御し、信号がもたらすＰＭＤのひずみを所定の値より下に減少させたことを特徴とする補償方法。
【請求項１７】
各々のサブバンドについて求められた前記第１のパラメータがストークス・パラメータであり、前記第２のパラメータが、前記サブバンドの中の前記ストークス・パラメータの変化を示すパラメータであり、前記補償装置が前記変化を平坦化するように制御されるようになったことを特徴とする請求項１６に記載の補償方法。
【請求項１８】
帯域幅Ｂを有する第１の広帯域光信号を伝送する少なくとも１つの伝送チャネルを備える、光ファイバ・リンクのＰＭＤを示すパラメータを検出するための装置であって、
（ａ）異なる周波数を有し、制御可能な偏光状態を有し得る複数の第２の基準光信号を生成する制御可能な生成装置と、
（ｂ）前記第２の信号を用いて前記第１の信号の少なくとも一部を混合し、該第２の信号の各々について、該第２の信号を該第１の広帯域信号又はその一部分に重ね合わせることによって生じる第３の信号を生成する光混合装置と、
（ｃ）前記第３の信号を受け取り、そこから前記第１の信号と前記第２の信号との間のうなり信号を獲得する検出器と、
（ｄ）前記第３の信号の各々の前記うなり信号から、そのＰＭＤを示すと考えられる第１のパラメータを計算する第１の計算手段と、
（ｅ）前記第３の信号の全てについて計算されたＰＭＤを示す前記第１のパラメータのための、そこから前記第１の広帯域信号のＰＭＤを示すと考えられる第２のパラメータを求めるための第２の処理手段と、
を備えることを特徴とする装置。
【請求項１９】
前記第２の信号が、前記サブバンドの全てについて実質的に同じ周波数間隔内に含まれる一つ又はそれ以上の電気信号を打つことによって生じ得る第３の信号を生成するような周波数を有するように選択されたことを特徴とする請求項１８に記載の装置。
【請求項２０】
前記チャネルが複数であり、前記第３の信号が生成され、前記第１及び第２のパラメータが、各々のチャネル内に存在する前記第１の広帯域信号について計算され、各々のチャネルの該第１の広帯域信号のＰＭＤを示すと考えられるパラメータが求められたことを特徴とする請求項１８に記載の装置。
【請求項２１】
前記第３の信号が、異なる偏光状態を有する光成分に分割されることになるスプリッタに適用され、各々の成分が、対応する電気信号を発する光電気式検出器に送られ、各々の信号が、前記第３の信号のＰＭＤを示すと考えられる前記パラメータの計算のための前記第１の計算手段に送られたことを特徴とする請求項１８に記載の装置。
【請求項２２】
前記光成分が、有利にほぼ直交する別個の偏光を有する２つの成分であることを特徴とする請求項２１に記載の装置。
【請求項２３】
前記ＰＭＤを示すパラメータがストークス・パラメータであることを特徴とする請求項１８に記載の装置。
【請求項２４】
前記第１の広帯域信号がＷＤＭ信号であり、関連した搬送波が各々のチャネルについて定められたことを特徴とする請求項２０に記載の装置。
【請求項２５】
光混合装置の前に、ＰＭＤを計算することが望まれるチャネルの前記搬送波に向けられた帯域フィルタがあることを特徴とする請求項２０に記載の装置。
【請求項２６】
光混合装置の前に、検出を行うために前記周波数を選択する櫛形フィルタがあることを特徴とする請求項２０に記載の装置。
【請求項２７】
光ファイバによる伝送を行い、第１の広帯域信号のために少なくとも１つの伝送チャネルを備える通信システムにおけるＰＭＤ補償装置であって、前記請求項のいずれかによる方法及び装置によって前記広帯域信号のＰＭＤを示すパラメータが検出され、該第１の広帯域信号のＰＭＤを示すと思われる計算された前記第２のパラメータが、信号経路に沿って配置されたＰＭＤ補償装置の案内ユニットに送られ、前記案内ユニットが、該第２のパラメータを用いて、前記補償装置をフィードバック制御し、ＰＭＤがもたらす前記信号の前記ひずみを所定の値より下に減少させたことを特徴とする装置。
【請求項２８】
前記請求項のいずれかによる装置を備え、及び／又は前記請求項のいずれかによる方法を用いる光ファイバ通信システム。
【発明の詳細な説明】
【０００１】
（技術分野）
本発明は、光信号が光ファイバ・ベースのリンク内を進む際に生じる偏光モード分散（ＰＭＤ）の検出、及び必要な場合にはその補償のための方法及び装置に関する。本発明はまた、この方法及び装置を用いる通信システムにも関する。
【０００２】
（背景技術）
ＰＭＤが、光ファイバ・リンクによって送られる光信号のひずみ及び分散の原因になることが知られている。ＰＭＤの影響が組み合わせられて、光信号をひずませ、分散させる。種々の偏光状態における信号の種々の成分の異なる時間遅延が、伝送速度の増加と共に極めて重要なものになる。非常に高い周波数（１０Ｇｂｉｔ／ｓ以上）の現在の光ファイバ・ベースの伝送システムにおいて、ＰＭＤの影響の精密な測定及び補償が、非常に重要になる。
【０００３】
したがって、従来技術において、光伝送の質を向上させるために、ＰＭＤ測定及び補償のための方法及び装置が提案された。しかし、周知のシステムは満足のいくものではない。周知のシステムの大きな欠点の一つは、帯域外又は使われていないファイバで作動する専用のＰＭＤ測定装置を用いる必要性である。本発明は、作動中に光ファイバ・ベースのリンクについてのＰＭＤデータを求めることを可能にするものである。非常に広い帯域のチャネルを有する現在の通信システムの場合には（例えば、１０Ｇｂｉｔ／ｓの通信システムに対して７ＧＨｚから２０ＧＨｚまで、及び４０Ｇｂｉｔ／ｓのシステムに対して３０ＧＨｚから６０ＧＨｚまでなど）、周知のシステムは、単一のチャネルの全帯域幅にわたってさえも満足な結果をもたらすものではない。
本発明の一般的な目的は、広帯域信号及び幾つかの伝送チャネルを有する場合でも、ＰＭＤを検出し、必要な場合にはＰＭＤを補償するための方法及び装置を提供することによって、上述の欠点を改善することである。
【０００４】
（発明の開示）
この目的を考慮して、本発明においては、Ｂバンドをサブバンドに分割し、各々のサブバンドについて関連した第２の基準光信号を生成し、各々の第２の信号について、該第２の信号及び第１の広帯域信号又はその一部分を重ね合わせることによって生じる第３の光信号を求め、該第３の信号の各々について、重ね合わされた信号のうなりの後に、そのＰＭＤを示すと考えられる第１のパラメータを計算し、該第３の信号の全てについて計算されたＰＭＤを示す第１のパラメータを処理し、そこから第１の広帯域信号のＰＭＤを示すと考えられる第２のパラメータを求める段階を含む、該第１の広帯域光信号を伝送する少なくとも１つの伝送チャネルを含む、光ファイバ・リンクについてのＰＭＤを示すパラメータの検出方法が提供される。
【０００５】
また、本発明においては、ＰＭＤ補償方法が提供され、そこでは、ＰＭＤデータが上記方法によって獲得され、広帯域信号のＰＭＤを示すと考えられる計算された第２のパラメータが用いられて、信号経路に沿って配置されたＰＭＤ補償装置をフィードバック制御すし、よってＰＭＤが光信号にもたらした負の効果を減少させる。
【０００６】
本発明においては、Ｂバンドを有する第１の広帯域光信号を伝送する少なくとも１つの伝送チャネルを含む、光ファイバ・リンクのＰＭＤを示すパラメータを検出するための装置であって、異なる周波数から成り、制御可能な偏光状態を有し得る複数の第２の基準光信号を生成するための制御可能な生成装置と、第２の信号を用いて第１の信号の少なくとも一部を混合し、該第２の信号の各々について、該第２の信号及び第１の広帯域信号又はその一部分を重ね合わせることによって生じる第３の信号を生成する光混合装置と、電気うなり信号すなわち第３の光信号から獲得された信号を求める一つ又はそれ以上の光検出器と、電気うなり信号すなわち第３の信号の各信号、そのＰＭＤを示すと考えられる第１のパラメータを計算する第１の計算手段と、第３の信号の全てについて計算されたＰＭＤを示す第１のパラメータのための、第１の広帯域信号のＰＭＤを示すと考えられる第２のパラメータをそこから求めるための第２の処理手段とを含む装置もまた提供される。
【０００７】
また、本発明においては、第１の広帯域信号のための少なくとも１つの伝送チャネルを含む光ファイバ・ベースの伝送システムにおけるＰＭＤ補償装置が提供され、そこでは、広帯域信号のＰＭＤを示すパラメータが、上述の方法及び装置によって検出され、該第１の広帯域信号のＰＭＤを示すと考えられる計算された第２のパラメータが、信号経路に沿って配置されたＰＭＤ補償装置に送られ、該第２のパラメータを用いる案内ユニットが、該補償装置をフィードバック制御し、信号のひずみによりもたらされたＰＭＤを所定の量より低く減少させる。
最後に、本発明においては、上述の装置を備え、及び／又は上述の方法を用いる光ファイバ通信システムが提供される。
【０００８】
（発明を実施するための最良の形態）
従来技術と比較した本発明の革新的な原理及びその利点の説明を明らかにするために、添付図面を用いて、この原理を用いる限定のためではない例として実行可能な実施形態を以下に説明する。
図を参照すると、図１は、本発明に従って提供された、全体を参照番号１０で表す通信システムの構造を示す。この通信システムは、光ファイバ・ベースのリンク１２によって信号を受信機１３に送信する伝送システム１１を含む。この伝送システムは、１チャネル式又はマルチチャネル式、及び有利にＷＤＭ型とすることができ、当業者には容易に想像できるので、これ以上示しも詳述もしない。このようなシステムは、通常、２．５Ｇｂｉｔ／ｓより低くないビット速度で作動する。信号帯域は、これに応じて高いものとなる（１０Ｇｂ／ｓにおいて７ＧＨｚから２０ＧＨｚまで、４０Ｇｂ／ｓにおいて３０ＧＨｚから６０ＧＨｚまで）。信号の形式は、例えば、ＮＲＺ、ＲＺ、ＣＲＺ、孤立波など様々なものとすることができる。
【０００９】
信号経路に沿って、例えば複屈折部材及び偏光変換装置、すなわち回転装置及び／又は偏光コントローラを含む形式のような周知の補償装置１４を配置することができる。受信機１３の前に、検出装置１５により、光信号の一部からＰＭＤデータが獲得され始める。以下に明らかにするように、検出装置１５は、信号のＰＭＤを示すと考えられるパラメータを計算し、そのパラメータをＰＭＤがもたらすひずみを所定の値より低くフィードバック減少させるように補償装置１４を制御する、補償計算及び案内段階１６に送ることができる。このように、ＰＭＤ補償に不可欠な装置１４、１５、１６が設けられる。
図１からわかるように、装置１５は、伝送された信号の一部を受け取る入力１７を有する。この信号の一部は、受信機１３から受け取った信号のパワーを著しく減少させない方法で、信号経路上に配置された適切な周知の光結合装置（図示せず）により導かれる。
【００１０】
装置１５は、異なる周波数をもつ複数の基準光信号を生成する制御可能な生成装置を含む。以下に明らかにするように、この生成装置は、各々が必要に応じて一つ又はそれ以上の放出周波数に同調可能な選択駆動式の複数のレーザ源で構成することができ、又は可能であれば関連する全周波数範囲に対して同調可能な単一の周波数源で構成することもできる。伝送された偏光状態の観点から、制御可能な生成装置を制御することもできる。生成装置１８から命令によって時折放出される光信号ｓ2は、混合装置１９に送られ、該混合装置１９は、ＰＭＤを経験していると期待される信号ｓ1を入力において受け取る。混合装置は、入力における２つの信号ｓ1及びｓ2の混合を実行し、重ね合わせることによって第３の光信号ｓ3を生成する。
【００１１】
有利に、混合装置に入力された２つの信号の重ね合わせによる望ましくない影響を回避するために、装置に入力された広帯域信号を帯域フィルタ２０によってフィルタ処理し、関係しない如何なる周波数成分も排除する。フィルタ２０は、固定フィルタ、所望の周波数に同調可能なフィルタ、又は適切な中心周波数を有する櫛形フィルタとすることができる。
信号ｓ3は検出器３０に送られ、電気うなり信号すなわち信号ｓ1とｓ2との間の信号を求め、次に、入力において用いられた第３の信号ｓ3の各々について、分析されたサブバンドのＰＭＤを示すと考えられる第１のパラメータを計算する第１の計算手段を含むブロック２１に送られる。以下に説明するように、検出器３０は、適切な光検出器ユニットである。
【００１２】
入力１７における広帯域信号の従来のＢバンドは、ＰＭＤを表すパラメータについての精密な情報を求めることを可能にするのに十分小さな幅を有する数ｎのサブバンドに分割される。特に、数ｎは、次の関係
τ最大・Ｂ／ｎ＜ε
を満たすことが有利である。
ここで、τ最大は、検出するように望まれる最大微分群遅延（ＤＧＤ）であり、εは、０＜ε＜２、有利に０＜ε＜０．３の場合のラジアンで表される定数である。
サブバンドへの分割は、Ｂバンドのフィルタ処理作業を意味するのではなく、周波数間隔の概念的分割を意味するものである。各々のサブバンドについて、生成装置は、ｓ1とｓ2の重ね合わせであり、２つの始動振動ｓ1とｓ2の周波数よりずっと小さな一つ又はそれ以上の電気周波数信号を打つことによって光検知し生成することができる、関連した信号をｓ3を生成するのに適切な周波数の信号ｓ2を生成するように命令される。
【００１３】
有利に、第２の信号は、全てのサブバンドについて基本的に同じである周波数間隔内に含まれる一つ又はそれ以上の電気うなり信号を生成するような周波数を有するように選択される。したがって、混合装置に続く段階は、広帯域信号の最小及び最大周波数よりずっと小さな最小及び最大周波数、及び広帯域信号のＢバンドよりずっと小さな帯域を有する上述された同じ周波数で常に作動させることができる。
例えば、Ω2が、あらゆる周波数であり、Ω1が信号ｓ1の中心周波数であるときに、｜Ω2−Ω1｜が約Ｂ／２となるように有利に選択された場合には、基準信号ｓ2に対して生成される周波数は、Ω2−Ｂ／２とΩ2＋Ｂ／２との間を有利に変化する。
【００１４】
各々のサブバンドについて計算されたＰＭＤを示すパラメータを（ここでは、ＰＭＤｘと呼ばれる）は、メモリ２２に記憶される。ｎサブバンドについて計算されたパラメータＰＭＤ1、ＰＭＤ2、・・・ＰＭＤnの組に基づいて、第２のエラボレーション手段２３が、入力における広帯域信号のＰＭＤを示すと考えられる第２のパラメータＰＭＤTを求める。
このように、求められたＰＭＤTパラメータは、更なる処理のために検出の結果を用いる処理及び制御ユニット２４へ送られる。ＰＭＤ補償を実行するために、ＰＭＤTパラメータをユニット１６に送ることができる。
幾つかのチャネルへの伝送の場合には（例えば、ＷＤＭ）、第３の信号が生成され、第１及び第２のパラメータが、各々のチャネル内に存在する広帯域信号について計算され、各々のチャネルにおける第１の広帯域信号のＰＭＤを示すと考えられるパラメータを求める。これを行うために、生成装置１８は、各チャネルの各サブバンドについて、連続的に基準信号を発し、このように、ＰＭＤを示すパラメータの計算は、チャネルごとに行われる。
【００１５】
各々の信号ｓ3について、ブロック２１における特徴的なＰＭＤパラメータの計算を、様々な周知の方法で行うことができる。この表示パラメータは、一般にＳ0、Ｓ1、Ｓ2、Ｓ3と示される周知のストークス・パラメータの形態で計算されることが有利であることがわかった。ストークス・パラメータの計算は、当業者には公知のものであり、これ以上説明しない。光信号から対応するストークス・パラメータまで送る種々の道筋があり、これらの道筋を本発明に使用することができるが、第３の信号ｓ3を異なる偏光状態を有する光成分に分割し、次に各々の成分を対応する電気信号を発する光電気検知器に送る、適切な光スプリッタを用いるのが好ましいことがわかった。次に、第３の信号のＰＭＤを示すパラメータが、検出器が発した電気信号の適切な組合せから計算される。
【００１６】
図２は、図１の段階２１の実行可能な有利な実施形態を示す。この有利な実施形態において、信号ｓ3は、光信号ｓ3を有利にほぼ直交する別個の偏光を有する２つの成分に分割する光スプリッタ２５に送られる。各々の成分は、２つの光成分の強度を表す２つの電気信号Ｉ1(ｔ)及びＩ2(ｔ)を有するように、対応する検出器又は光ダイオード２６に送られて、これらは、図１のブロック２１のＰＭＤｘ出力を構成する上述のストークス・パラメータＳ0、Ｓ1、Ｓ2、Ｓ3を周知の方法で計算する第１の計算手段２７に送られる。
処理ユニット２７は、当業者には容易に想像できる従来の方法によって、ストークス・パラメータを計算することができる。
【００１７】
各々のサブバンドにおける信号のＰＭＤを示すパラメータが計算され示されるが、第２の計算手段２３が、オリジナル信号のＰＭＤを示す第２のパラメータを求めるために、該オリジナルの信号のＢバンドを分割する、サブバンドのパラメータの全体についての所定の作業を実行する。信号Ｉ1(ｔ)及びＩ2(ｔ)の処理は、中心周波数がビット速度に依存し、帯域幅がファイバの微分群遅延（ＤＧＤ）に依存した状態で、帯域フィルタ２８を用いてフィルタ処理した後に行われることが有利にわかった。一般に例として、１０Ｇｂｉｔ／ｓのシステムについては、中心周波数を７ＧＨｚから２５ＧＨｚまでとすることができ、４０Ｇｂｉｔ／ｓのシステムについては、中心周波数を３０ＧＨｚから６０ＧＨｚまでとすることができる。
【００１８】
第１のパラメータから開始する第２のパラメータを、当業者にはそれ自体で想像可能な種々の方法で求めることができる。
ストークス・パラメータについての実施において、例えば、サブバンドから求められたｎ個のサンプルを適切に処理することによって、第２のストークス・パラメータ（Ｓ0、Ｓ1、Ｓ2、Ｓ3）Tを求めることができる。
例えば、ＤＧＤの数字が与えられることを望む場合には、ストークス・パラメータを直接処理するのではなく、各々のサブバンドについてそこから開始する各々のサブバンドのＤＧＤを計算し、平均値、中間値などをとりながら、各々の信号の値を求めるために全てのサブバンドのＤＧＤを平均するといった、実行可能な戦略の一つを用いることが有利に決定される。
【００１９】
また、本発明によると、第２のパラメータ、又はそこから推理可能なＰＭＤデータを、第１のパラメータ又はそこから推理可能なＰＭＤデータの平均値又は最大値として有利に求めることもできる。互いに、すなわち絶対値の代わりに一つのサブバンドから他のサブバンドまでと比較すると、第１のパラメータの変化もまた、有利に重要なものと考えることができる。したがって、第２のパラメータを、これらの変化を表すように計算されたパラメータとすることができる。次に、補償ユニットに、これらの変化を保持するか、又はほぼゼロまで減少させるように命令することができる。第２のパラメータがストークス・パラメータである場合には、このことは、各々のサブバンドについて求められたサブバンドの中に該ストークス・パラメータを保持するか、又は等しくなるように戻す、すなわち信号のＢバンド全体に対するサブバンドのストークス・パラメータの変化を平坦化するように翻訳する。
ここで所定の目的が達成されたことが明らかである。
【００２０】
述べられたチャネルから開始する際に、制御ユニット２４は、チャネルの全てのサブバンドに割り当てられた信号ｓ2を連続的に生成するように生成装置に命令し、各々の信号について関連したサブバンドのＰＭＤパラメータの計算を命令する。サブバンドの走査後、特定のバンド内のＰＭＤが計算され、次に制御ユニットは、伝送システムの次のチャネルに関連した信号ｓ2を生成するように生成装置に命令する。一旦全てのチャネルが走査されると、作業を初めからやり直すことができる。このように、求められたＰＭＤパラメータを、通信システムの補償を制御するために用いることもできる。
【００２１】
本発明による方法及び装置を用いることにより、あらゆるバンド幅のチャネルを用いて、如何なる数のチャネルについて、本発明がもたらす明らかな利点を有する単一の装置を用いて、問題なく作動させることができる。
本発明による方法が、ＷＤＭの光の流れの非多重化を必要とせず、したがって、本発明は、例えば増幅場所においてオンラインでも使用可能であり、或いはファイバへアクセスする如何なる場所も経済的に有することができ、受信時には必ずしもそれらを必要としないこともまた留意すべきである。
当然のことながら、本発明の革新的な原理を用いる実施形態の上の説明は、ここで特許請求された排他的な権利の範囲内の原理の限定するためではない例によってなされる。
【図面の簡単な説明】
【００２２】
【図１】本発明による装置を有する伝送システムのブロック図である。
【図２】図１の装置の一部のブロック図である。
【図１】
2005502221.tif 000003
【図２】
2005502221.tif 000004
【国際公開パンフレット】
2005502221.tif 000005
2005502221.tif 000006
2005502221.tif 000007
2005502221.tif 000008
2005502221.tif 000009
2005502221.tif 000010
2005502221.tif 000011
2005502221.tif 000012
2005502221.tif 000013
2005502221.tif 000014
2005502221.tif 000015
2005502221.tif 000016
2005502221.tif 000017
2005502221.tif 000018
2005502221.tif 000019
2005502221.tif 000020
2005502221.tif 000021
2005502221.tif 000022
2005502221.tif 000023
2005502221.tif 000024
2005502221.tif 000025
【国際公開パンフレット（コレクトバージョン）】
2005502221.tif 000026
2005502221.tif 000027
【国際調査報告】
2005502221.tif 000028
2005502221.tif 000029